(57)【要約】【課題】より高い精度で媒体の真贋を判定する。【解決手段】真贋判定装置１０が、分離部１４と、分析部１６ｂと、判定部とを備える。真贋判定装置１０では、所定の混合割合で複数種のトナーを含む混合トナーにより形成された画像を真とする。分離部１４は、トナーにより画像が形成された媒体から、画像を構成するトナーの少なくとも一部を分離する。分析部１６ｂは、分離部１４により分離したトナーを分析し、分離したトナーにおける複数種のトナーの混合割合を示す値を求める。判定部は、分析部１６ｂにより求めた値と所定の基準値との相違の程度に基づいて、画像が真であるか否かを判断するか、又は、画像が真である可能性を求める。【選択図】図１
2016099646.tif 000002
【特許請求の範囲】
【請求項１】
所定の混合割合で複数種のトナーを含む混合トナーにより形成された画像を真とする真贋判定装置であって、
トナーにより画像が形成された媒体から、前記画像を構成するトナーの少なくとも一部を分離する分離部と、
前記分離部により分離したトナーを分析し、前記分離したトナーにおける前記複数種のトナーの混合割合を示す値を求める分析部と、
前記分析部により求めた値と所定の基準値との相違の程度に基づいて、前記画像が真であるか否かを判断するか、又は、前記画像が真である可能性を求める判定部と、
を備える、真贋判定装置。
【請求項２】
前記混合トナーは、９０質量％超の割合で石油由来成分を含有する結着樹脂を含む第１トナーと、１０質量％以上の割合で植物由来成分を含有する結着樹脂を含む第２トナーとを含み、
前記分析部は、前記分離部により分離したトナーを加速器質量分析し、前記混合割合を示す値として、前記トナーに含まれる放射性炭素同位体14Ｃの量を求める、請求項１に記載の真贋判定装置。
【請求項３】
前記混合トナーは、７ｅｍｕ／ｇ以上２０ｅｍｕ／ｇ以下の残留磁化を有する磁性トナーを含む、請求項１又は２に記載の真贋判定装置。
【請求項４】
前記分離部は、前記画像を構成するトナーの少なくとも一部を前記媒体から物理的に分離する、請求項１〜３のいずれか一項に記載の真贋判定装置。
【請求項５】
前記分離したトナーを吸引する吸引部を備える、請求項１〜４のいずれか一項に記載の真贋判定装置。
【請求項６】
所定の混合割合で複数種のトナーを含む混合トナーにより形成された画像を真とする真贋判定に用いられるトナー情報取得装置であって、
トナーにより画像が形成された媒体から、前記画像を構成するトナーの少なくとも一部を分離する分離部と、
前記分離部により分離したトナーを分析し、前記分離したトナーにおける前記複数種のトナーの混合割合を示す値を求める分析部と、
を備える、トナー情報取得装置。
【請求項７】
所定の混合割合で複数種のトナーを含む混合トナーにより形成された画像を真とする真贋判定用のプログラムであって、
コンピューターに、
画像を構成するトナーを分析部に分析させて、前記トナーにおける前記複数種のトナーの混合割合を求めることと、
前記求めたトナーの混合割合と所定の基準値との相違の程度に基づいて、前記画像が真であるか否かを判断するか、又は、前記画像が真である可能性を求めることと、
を実行させるためのプログラム。
【請求項８】
所定の混合割合で複数種のトナーを含む混合トナーにより形成された画像を真とする真贋判定方法であって、
トナーにより画像が形成された媒体から、前記画像を構成するトナーの少なくとも一部を分離することと、
分析部が、前記分離したトナーを分析し、前記分離したトナーにおける前記複数種のトナーの混合割合を求めることと、
判定部が、前記分析部により求めたトナーの混合割合と所定の基準値との相違の程度に基づいて、前記画像が真であるか否かを判断するか、又は、前記画像が真である可能性を求めることと、
を含む、真贋判定方法。
【発明の詳細な説明】
【技術分野】
【０００１】
本発明は、真贋判定装置、トナー情報取得装置、プログラム、及び真贋判定方法に関する。
【背景技術】
【０００２】
例えば、特許文献１には、偽造防止用シートに付帯させたシート情報と、偽造防止用シートに形成した第１磁性体部及び第２磁性体部の各々の磁気情報とに基づいて、真贋判定を行う真贋判定システムが開示されている。
【先行技術文献】
【特許文献】
【０００３】
【特許文献１】特開２０１０−１４０４４９号公報
【発明の概要】
【発明が解決しようとする課題】
【０００４】
しかしながら、特許文献１に記載された真贋判定システムでは、シート情報と、第１磁性体部と、第２磁性体部とを必要とする。システムが複雑であり、低コスト化が困難である。また、上記情報（シート情報及び磁気情報）だけでは、必ずしも高い精度で真贋を判定できるとは限らない。
【０００５】
本発明は、上記課題に鑑みてなされたものであり、より高い精度で媒体の真贋を判定することを目的とする。また、本発明は、画像に含まれる情報に基づいて、より確実に画像の真贋を判定することを他の目的とする。
【課題を解決するための手段】
【０００６】
本発明に係る真贋判定装置では、所定の混合割合で複数種のトナーを含む混合トナーにより形成された画像を真とする。本発明に係る真贋判定装置は、分離部と、分析部と、判定部とを備える。前記分離部は、トナーにより画像が形成された媒体から、前記画像を構成するトナーの少なくとも一部を分離する。前記分析部は、前記分離部により分離したトナーを分析し、前記分離したトナーにおける前記複数種のトナーの混合割合を示す値を求める。前記判定部は、前記分析部により求めた値と所定の基準値との相違の程度に基づいて、前記画像が真であるか否かを判断するか、又は、前記画像が真である可能性を求める。
【０００７】
本発明に係るトナー情報取得装置は、所定の混合割合で複数種のトナーを含む混合トナーにより形成された画像を真とする真贋判定に用いられる。本発明に係るトナー情報取得装置は、分離部と分析部とを備える。前記分離部は、トナーにより画像が形成された媒体から、前記画像を構成するトナーの少なくとも一部を分離する。前記分析部は、前記分離部により分離したトナーを分析し、前記分離したトナーにおける前記複数種のトナーの混合割合を示す値を求める。
【０００８】
本発明に係るプログラムは、所定の混合割合で複数種のトナーを含む混合トナーにより形成された画像を真とする真贋判定用のプログラムである。本発明に係るプログラムは、コンピューターに、分析工程と判定工程とを実行させる。前記分析工程では、画像を構成するトナーを分析部に分析させて、前記トナーにおける前記複数種のトナーの混合割合を求める。前記判定工程では、前記求めたトナーの混合割合と所定の基準値との相違の程度に基づいて、前記画像が真であるか否かを判断するか、又は、前記画像が真である可能性を求める。
【０００９】
本発明に係る画像形成方法では、所定の混合割合で複数種のトナーを含む混合トナーにより形成された画像を真とする。本発明に係る画像形成方法は、分離工程と、分析工程と、判定工程とを含む。前記分離工程では、トナーにより画像が形成された媒体から、前記画像を構成するトナーの少なくとも一部を分離する。前記分析工程では、分析部が、前記分離したトナーを分析し、前記分離したトナーにおける前記複数種のトナーの混合割合を求める。前記判定工程では、判定部が、前記分析部により求めたトナーの混合割合と所定の基準値との相違の程度に基づいて、前記画像が真であるか否かを判断するか、又は、前記画像が真である可能性を求める。
【発明の効果】
【００１０】
本発明によれば、より高い精度で媒体の真贋を判定することが可能になる。また、本発明によれば、この効果に加えて又はこの効果に代えて、画像に含まれる情報に基づいて、より確実に画像の真贋を判定することが可能になる場合がある。
【図面の簡単な説明】
【００１１】
【図１】本発明の実施形態１に係る真贋判定装置を示す図である。
【図２】本発明の実施形態１に係る真贋判定装置で用いられる分離部の一例を示す図である。
【図３】本発明の実施形態１に係る真贋判定装置で用いられるＡＭＳ測定器の一例を示す図である。
【図４】本発明の実施形態１に係る真贋判定装置を用いて真贋判定される画像の第１の例を示す図である。
【図５】本発明の実施形態１に係る真贋判定装置を用いて真贋判定される画像の第２の例を示す図である。
【図６】本発明の実施形態１に係る真贋判定方法において、トナーを採取する方法の一例（第１の方法）を説明するための図である。
【図７】本発明の実施形態１に係る真贋判定方法において、トナーを採取する方法の一例（第２の方法）を説明するための図である。
【図８】本発明の実施形態１に係る真贋判定方法を示す図である。
【図９】本発明の実施形態２に係る真贋判定方法を示す図である。
【発明を実施するための形態】
【００１２】
以下、図面を参照して本発明の実施形態について説明する。
【００１３】
（実施形態１）
本実施形態に係る真贋判定装置では、所定の混合割合で複数種のトナーを含む混合トナーにより形成された画像（以下、真の画像と記載する）を真とする。真の画像を形成する場合には、例えば、電子写真装置（画像形成装置）のトナーコンテナに、既知の混合割合を有する混合トナーをセットする。電子写真装置では、混合トナーを含む現像剤を用いて静電潜像を現像する。詳しくは、感光体ドラムに形成された静電潜像に、帯電した混合トナーを付着させて、静電潜像を現像する。そして、付着した混合トナー（トナー像）を、記録媒体（例えば、紙）に転写する。その後、混合トナーを加熱して、記録媒体に混合トナーを定着させる。その結果、記録媒体に画像が形成される。
【００１４】
以下、図１を参照して、真贋判定装置１０の構成について説明する。図１に示すように、真贋判定装置１０は、制御部１１と、インターフェイス１２と、記憶部１３と、分離部１４と、読取部１５と、ＡＭＳ測定器１６と、入力部１７と、表示部１８とを備える。
【００１５】
制御部１１は、ＣＰＵ（Central Processing Unit）１１ａと、ＲＯＭ（Read Only Memory）１１ｂと、ＲＡＭ（Random Access Memory）１１ｃとを有する。ＲＯＭ１１ｂは、例えばフラッシュメモリーのようなＰＲＯＭ（Programmable ROM）である。ＲＯＭ１１ｂには、例えばＢＩＯＳ（Basic Input/Output System）、ＯＳ（Operating System）、各種ドライバー、及び各種アプリケーションのようなプログラムが格納されている。ＲＡＭ１１ｃは、例えばＤＲＡＭ（Dynamic RAM）である。
【００１６】
インターフェイス１２は、制御部１１と外部の装置との間でのデータの送受信を可能にする。制御部１１は、インターフェイス１２を介して、記憶部１３と通信可能に接続されている。記憶部１３は、不揮発性メモリー（例えば、ハードディスク）から構成される。記憶部１３には、例えば、各種制御に係るプログラム、及びプログラムで用いられるデータ等が格納される。
【００１７】
制御部１１には、インターフェイス１２を介して、読取部１５、ＡＭＳ測定器１６、及び入力部１７の各出力信号等が入力される。また、制御部１１は、インターフェイス１２を介して、読取部１５、ＡＭＳ測定器１６、及び表示部１８等を制御する。また、制御部１１に、インターフェイス１２を介して、汎用コンピューター（いわゆるパーソナルコンピューター）等が接続されてもよい。
【００１８】
読取部１５は、画像を読み取るための装置である。読取部１５は、例えば光学ヘッド又は磁気ヘッドから構成される。真贋判定装置１０は、複数種の読取部１５を有してもよい。
【００１９】
入力部１７は、例えば操作ボタン、キーボード、マウス、又はタッチパネルから構成される。表示部１８は、例えばＬＣＤ（Liquid Crystal Display）又はＥＬＤ（Electro Luminescence Display）のようなディスプレーから構成される。なお、入力部１７及び表示部１８がタッチパネルから構成される場合には、入力部１７と表示部１８とは一体化していることになる。
【００２０】
表示部１８には、例えば真贋判定の結果が表示される。真贋判定装置１０は、真贋判定の結果を音（機械音又は音声）によってユーザーに知らせる報知器を有していてもよい。真贋判定装置１０は、振動装置を有し、真贋判定の結果に応じて振動する（例えば、真である場合のみに振動する）ように構成されてもよい。
【００２１】
分離部１４は、トナーにより画像が形成された媒体から、画像を構成するトナーの少なくとも一部を分離する。分離部１４は、媒体からトナーを、物理的に分離しても、化学的に分離してもよい。
【００２２】
分離部１４としては、粗面（例えば、サンドペーパーの粗面）を有する分離ヘッド、又は表面に凸部を有する分離ヘッドが好ましい。例えば、ユーザーが分離ヘッドを媒体に押し当てて、媒体に形成された画像を粗面又は凸部で擦ることで、媒体からトナーを物理的に分離できる。詳しくは、トナーが媒体から剥ぎ取られる。図２に、分離部１４の一例を示す。図２に示される分離部１４は、板状の凸部１４ａ（分離ブレード）と、ローラー１４ｂとを備える。ローラー１４ｂ上に媒体を載せた状態で、媒体を凸部１４ａに押し当てながらローラー１４ｂを回転させることによって、媒体に形成された画像を凸部１４ａで擦り易くなる。なお、分離ヘッドの凸部は、媒体からトナーを分離できる程度に硬くすることが好ましい。分離ヘッドの凸部の形状は、円柱状又は角柱状であってもよいし、板状又は針状であってもよい。分離ヘッドの凸部は鋭利な刃であってもよい。分離ヘッドを用いて媒体からトナーを分離する場合、画像を１回だけ擦って媒体からトナーを分離してもよいし、画像を複数回擦って（分離ヘッドを往復動させて）媒体からトナーを分離してもよい。分離ヘッドの使用後には、例えばクリーニングブラシを用いて、分離ヘッドの表面に付着したトナーを除去することが好ましい。
【００２３】
分離部１４は、読取部１５と一体的に形成されてもよい。例えば読取部１５がＭＩＣＲ用の磁気ヘッドから構成される場合には、磁気ヘッドの検出部（例えば、検出すべき磁気を透過するガラス板）の表面を、凹凸を有する粗面にすることで、粗面で画像を擦って媒体からトナーを物理的に分離できる。粗面の高低差（最も高い山頂と最も低い谷底との差）は、０．０５ｍｍ以上０．１ｍｍ以下であることが好ましい。粗面の高低差が０．０５ｍｍ以上である場合、媒体からトナーを分離し易くなる。粗面の高低差が０．１ｍｍ以下である場合、ヘッドの表面をクリーニングし易くなる。
【００２４】
分離部１４は、媒体を溶かさずトナーを溶かす溶剤（例えば、テトラヒドロフラン）により、媒体からトナーを化学的に分離してもよい。選択的にトナーのみを溶かす溶剤を使用することで、トナーを抽出できる。
【００２５】
分離部１４の一部の構成（例えば、図２に示される凸部１４ａ又はローラー１４ｂ）、又は分離部１４をクリーニングする装置が、例えば電動モーターにより駆動されてもよい。例えば、電動モーターにより分離ヘッドの移動機構を駆動して、分離ヘッドの凸部を媒体に押し当ててもよい。また、分離ヘッドの凸部を、画像が形成された面に対して平行な方向の往復動（水平移動）、又は画像に対して接触及び離間を繰り返す往復動（上下の振動）、又は任意の回転面で回転させることで、媒体からトナーを分離し易くなる。分離部１４が電動式の機構を有する場合には、制御部１１がインターフェイス１２を介して分離部１４を制御するように、真贋判定装置１０の構成を変更することが好ましい。制御部１１が分離部１４を制御できれば、ユーザーは、例えば真贋判定装置１０のボタン（入力部１７）を操作するだけで、容易に媒体からトナーを採取できるようになる。
【００２６】
真の画像を構成するトナーは、多数のトナー粒子から構成される粉体である。トナー粒子は、外添剤を有していてもよい。トナー粒子が外添剤を有する場合には、トナー粒子はトナー母粒子と外添剤とを有する。外添剤はトナー母粒子の表面に付着している。トナー母粒子は、結着樹脂を含む。トナー母粒子は、必要に応じて、結着樹脂以外に、内添剤（例えば、離型剤、着色剤、電荷制御剤、及び／又は磁性粉）を含んでもよい。なお、必要がなければ外添剤を割愛してもよい。外添剤を割愛する場合には、トナー母粒子がトナー粒子に相当する。真の画像を構成するトナーは、カプセルトナーであってもよい。トナー母粒子の表面にシェル層を形成することで、カプセルトナーを製造することができる。シェル層が植物由来成分を含有する樹脂で形成されていてもよい。
【００２７】
真の画像を構成する混合トナーとしては、例えば、９０質量％超の割合で石油由来成分を含有する結着樹脂を含むトナー（以下、通常トナーと記載する）と、１０質量％以上の割合で植物由来成分を含有する結着樹脂を含むトナー（以下、バイオマストナーと記載する）とを含む混合トナーを好適に使用できる。
【００２８】
通常トナーの結着樹脂は、原料として石油を用いて、重合反応等を経て得られる。通常トナーの結着樹脂としては、スチレン−アクリル樹脂、ポリエステル樹脂、又はこれらの誘導体を好適に使用できる。
【００２９】
バイオマストナーの結着樹脂としては、例えば、カルボン酸成分として石油由来のカルボン酸を含み、アルコール成分として植物由来のアルコールを含む植物性ポリエステル樹脂が好ましい。以下、植物由来のアルコールの合成方法の一例について説明する。植物（例えば、大豆、トウモロコシ、又は菜種）の種子又は胚乳を絞ると、残渣成分として粗製グリセリンが得られる。得られた粗製グリセリンを精製することで、精製されたグリセリンから植物由来のアルコール（バイオマスモノマー）を合成できる。例えば、グリセリンと水素とを反応させることにより、植物由来の１，２−プロパンジオールが得られる。
【００３０】
バイオマストナーの結着樹脂は、アルコール成分として石油由来のアルコールを含み、カルボン酸成分として植物由来のカルボン酸を含む植物性ポリエステル樹脂であってもよい。植物由来のカルボン酸は、例えば、デンプンを含む植物性バイオマス（例えば、トウモロコシ）から抽出できる。なお、バイオマストナーの結着樹脂は、アルコール成分として植物由来のアルコールを含み、カルボン酸成分として植物由来のカルボン酸を含む植物性ポリエステル樹脂であってもよい。
【００３１】
植物由来成分には、放射性炭素同位体14Ｃが一定の割合で含まれている。現存する植物由来の炭素は、地球上の大気等から14Ｃを取り込んでいるからである。石油由来成分は、石油から合成されるため、14Ｃをほとんど含んでいない。14Ｃの半減期（宇宙線によって生成されたｎ個の14Ｃのうち、半分（ｎ／２個）の14Ｃが、β崩壊し、窒素原子に変化する年数）は、約５７３０年である。石油は数万年をかけて堆積されるため、石油には14Ｃがほぼ含まれていない。表１に、死後年数が異なる各試料について、14Ｃの濃度、14Ｃの崩壊速度、及び14Ｃの原子数を示す。
【００３２】
【表１】
2016099646.tif 000003
【００３３】
表１に示されるように、現代炭素１ｇ中には約６００億個の14Ｃが存在する。死後年数（生物の死後の経過年数）６万年の炭素１ｇ中には約４２００万個の14Ｃが存在する。14Ｃの含有量を高い精度で測定することにより、バイオマストナーと通常トナーとを判別したり、結着樹脂に含まれる植物由来成分の量を測定したりすることが可能になる。
【００３４】
ＡＭＳ測定器１６は、分離部１４により分離したトナーを分析し、トナーにおける複数種のトナーの混合割合を示す値を求める。通常トナーとバイオマストナーとを含む混合トナーにより真の画像が形成される場合、トナーに含まれる放射性炭素同位体14Ｃの量が、通常トナーとバイオマストナーとの混合割合（トナーの混合割合）に対応する。本実施形態に係る真贋判定方法では、ＡＭＳ測定器１６がトナーを加速器質量分析し、トナーの混合割合を示す値として、トナーに含まれる放射性炭素同位体14Ｃの量を求める。
【００３５】
ＡＭＳ測定器１６は、吸引部１６ａと、分析部１６ｂとを備える。吸引部１６ａは、分離部１４により分離したトナー（例えば、０．１ｍｇ以上１．０ｍｇ以下のトナー）を吸引する。真贋判定される画像がソリッド画像である場合、ソリッド画像の大きさが０．５ｍｍ角以上であれば、０．１ｍｇ以上のトナーを確保できると考えられる。分離部１４により分離したトナーを効率的に吸引するためには、ＡＭＳ測定器１６の吸引部１６ａが分離部１４の近傍に設置されることが好ましく、トナーが分離されると同時に、分離されたトナーが吸引されるように、分離部１４及び吸引部１６ａが構成されることがより好ましい。
【００３６】
ＡＭＳ測定器１６の吸引部１６ａにより吸引されたトナーは、ＡＭＳ測定器１６の分析部１６ｂに送られる。ＡＭＳ測定器１６の分析部１６ｂは、吸引されたトナーを化学的に分析（詳しくは、加速器質量分析）して、そのトナーに含まれる放射性炭素同位体14Ｃ（目的核種）の量を検出する。加速器質量分析法により、試料（吸引されたトナー）中の炭素同位体比を測定できる。詳しくは、加速器質量分析法により、安定同位体（例えば、12Ｃ）の量に対する目的核種（例えば、14Ｃ）の量の比率（例えば、14Ｃの量／12Ｃの量）を測定できる。
【００３７】
加速器質量分析法では、エネルギー分析用の静電フィルターと、運動量分析用の磁場フィルターとを用いて、イオンビームを分析する。また、加速器質量分析法では、試料に含まれる物質をイオン化し、得られたイオンを加速器に送り、加速器を用いて核子あたり数ＭｅＶのエネルギーを与えて、イオンを加速する。そして、加速されたイオンを、薄いガス及び薄い膜に通す。加速されたイオンが薄いガス及び薄い膜を通過することによって、目的核種の質量数と同じ質量数を有する分子イオン（目的核種の同重体）が原子イオン（負イオン）に分解し、さらに負イオンの電子が剥ぎ取られて負イオンが陽イオンに変換（荷電変換）される。14Ｃの同重体の例としては、13ＣＨ-又は12ＣＨ2-が挙げられる。生成された原子イオンは、目的核種の質量数とは異なる質量数を有するため、フィルターで容易に分離できる。加速器質量分析法では、崩壊しない原子核の個数を直接測定できるため、半減期の長い核種の量を、放射線計測法よりも高い精度で測定し易い。
【００３８】
ＡＭＳ測定器１６としては、例えば、東京大学原子力研究総合センタータンデム加速器研究施設（ＭＡＬＴ）のＡＭＳシステムを好適に使用できる。ＭＡＬＴのＡＭＳシステムは、14Ｃの年代測定に用いられる。こうしたＡＭＳシステムを用いることで、試料（例えば、トナー）が少量（例えば、約０．１ｍｇ）しかなくても、試料（例えば、トナー）に含まれる炭素が死後年数６万年の炭素であっても、その試料に含まれる14Ｃの量を高い精度で早く測定することが可能になる。以下、主に図３を参照して、ＡＭＳ測定器１６の分析部１６ｂの好適な例について説明する。
【００３９】
図３に示すように、ＡＭＳ測定器１６の分析部１６ｂは、イオン源３１ａ及び３１ｂと、静電型球面分析器３２（角度４５°）と、入射電磁石３３（角度９０°）と、ファラデーカップ３４と、アインツェルレンズ３５と、タンデム加速器３６（最大加速電圧５ＭＶのペレトロン加速器）と、Ｘ−Ｙステアラー３７と、分析電磁石３８（角度９０°）と、可動式のファラデーカップ３９と、四重極電磁石４０（Ｑレンズ）と、振り分け電磁石４１（角度２０°）と、静電分析器４２（角度２０°）と、四重極電磁石４３（Ｑレンズ）と、半導体検出器４４とを備える。
【００４０】
試料（吸引されたトナー）中の炭素同位体比を測定する場合には、まず、測定用グラファイト（より詳しくは、グラファイトと鉄粉との混合物）を調製する。測定用グラファイトの調製に際しては、試料（吸引されたトナー）にＡＡＡ（Acid Alkali Acid）処理を施して、試料中の不純物を取り除く。続けて、試料を酸化銅と一緒に加熱して酸化させて、試料に含まれる炭素を二酸化炭素（ガス）として抽出する。続けて、二酸化炭素を精製する。続けて、精製した二酸化炭素と、鉄触媒と、水素（ガス）とを一緒に加熱することで、二酸化炭素を水素還元してグラファイト化する。その結果、測定用グラファイト（グラファイトと鉄粉との混合物）が得られる。
【００４１】
続けて、得られた測定用グラファイト（グラファイト１ｍｇ）を、プレス（例えば、ハンドプレス）により、アルミニウム製のカソード（試料ホルダー）の直径１ｍｍの孔に充填する。続けて、測定用グラファイトが充填されたカソードをイオン源３１ａ又は３１ｂに取り付ける。なお、測定用グラファイトの調製及び充填はそれぞれ、手動で行ってもよいし、自動化してもよい。
【００４２】
イオン源３１ａ及び３１ｂはそれぞれ、試料中の目的核種（例えば、放射性炭素同位体14Ｃ）を負イオンに変えることができる。イオン源３１ａ及び３１ｂの各々としては、例えば、セシウムスパッター型の固体イオン源（ＭＣ−ＳＮＩＣＳ）が好ましい。ＭＣ−ＳＮＩＣＳには、一度に４０個の試料を装填できる。ＭＣ−ＳＮＩＣＳは、セシウムの正イオンビームを固体試料（例えば、グラファイト）の表面に照射することにより、固体試料をイオン化して負イオン（例えば、12Ｃ-、13Ｃ-、及び14Ｃ-）を生成できる。
【００４３】
イオン源３１ａ又は３１ｂにより生成された負イオンは、静電型球面分析器３２と、入射電磁石３３と、ファラデーカップ３４と、アインツェルレンズ３５とを経て、タンデム加速器３６に導入される。逐次入射法（ジャンピングシステム）により、質量数の異なるイオン（例えば、12Ｃ-、13Ｃ-、及び14Ｃ-）を所定の時間間隔でタンデム加速器３６に送る。
【００４４】
タンデム加速器３６は、ターミナル部３６ａ（最も電圧の高くなる部分）と、静電Ｑレンズ３６ｂとを備える。ターミナル部３６ａは、荷電変換装置として機能する。ターミナル部３６ａには、正の電荷が供給される。タンデム加速器３６に入射した負イオンはターミナル部３６ａに引き付けられて加速する。また、ターミナル部３６ａは、薄いガスを流すキャナル（Ａｒガスストリッパー）と炭素膜とを有する。負イオンがキャナルを通過する際、分子イオンは原子イオンに分解され、負イオンは電子を剥ぎ取られて陽イオンに変換（荷電変換）される。その後、陽イオンはターミナル部３６ａの正電荷と反発して、さらに加速される。このように、タンデム加速器３６ではイオンを二段階で加速することができる。
【００４５】
荷電変換により、６種類（１価〜６価）の炭素イオンが形成される。６種類の炭素イオンのうち最も存在比の大きい炭素イオン（例えば、３価の炭素イオン）がビームラインの真ん中を通るように、分析電磁石３８の磁場を調整することが好ましい。また、分析電磁石３８（偏向部）により、14Ｃのイオン（例えば、14Ｃ3+）よりも質量の小さい（軽い）炭素イオン（例えば、12Ｃ3+及び13Ｃ3+）の進路を大きく曲げることができる。このため、可動式のファラデーカップ３９により、12Ｃ3+の量及び13Ｃ3+の量の各々に対応する電流値を測定できる。
【００４６】
Ｑレンズ（四重極電磁石４０）では、14Ｃのイオンが集束される。また、集束された14Ｃのイオンは、振り分け電磁石４１と、静電分析器４２と、四重極電磁石４３とを経て、半導体検出器４４に到達する。静電分析器４２では、不純物イオン及び散乱イオンが除去される。半導体検出器４４では、14Ｃのイオン（例えば、14Ｃ3+）の個数が計測される。
【００４７】
ファラデーカップ３９により測定された電流値と、半導体検出器４４により計測された個数とに基づいて、炭素同位体比（例えば、14Ｃ／12Ｃ）を算出できる。また、標準試料を用いることで、算出された炭素同位体比から14Ｃの濃度（例えば、ｐＭＣ：percent Modern Carbon）を求めることができる。
【００４８】
本実施形態に係る真贋判定装置１０を用いて真贋判定される画像は、例えば図４に示すような画像（詳しくは、バーコード）である。例えば、図１に示す読取部１５が光学ヘッド（バーコードリーダー）から構成される場合、制御部１１は、読取部１５によりバーコードを読み取ることで、バーコードを数字又は文字として認識できる。バーコードの線幅（又はドットの大きさ）又は間隔を変えることによって、様々な数字又は文字に対応するバーコードを作成できる。各バーコードは、例えば対応表に基づいて、そのバーコードに対応する数字又は文字に置換できる。なお、本実施形態に係る真贋判定装置１０によれば、２次元コードも好適に真贋判定できる。
【００４９】
本実施形態に係る真贋判定装置１０を用いて真贋判定される画像は、例えば図５に示すようなＭＩＣＲ（Magnetic Ink Character Recognition）文字である。ＭＩＣＲ文字は、磁性成分（例えば、酸化鉄）を含むトナーを用いて形成することができる。ＭＩＣＲ文字は、独特のフォントを有する。例えば、図１に示す読取部１５が磁気ヘッドから構成される場合、制御部１１は、読取部１５によりＭＩＣＲ文字を読み取ることで、ＭＩＣＲ文字を認識できる。また、ＭＩＣＲ文字は、そのＭＩＣＲ文字上に別の画像が形成されても、磁気ヘッドを用いて読み取ることができる。
【００５０】
真贋判定装置１０は、ＡＭＳ測定器１６の分析部１６ｂにより求めた値と所定の基準値との相違の程度（差又は比率等）に基づいて、媒体に形成された画像が真であるか否かを判断するか、又は、媒体に形成された画像が真である可能性を求める判定部を備える。真贋判定装置１０は、上記判定部に加えて、画像（例えば、バーコード又はＭＩＣＲ文字）のパターンに基づいて、その画像が形成される媒体の真贋を判定する他の判定部を有していてもよい。制御部１１そのものが判定部（又は、他の判定部）を実現してもよいし、制御部１１が、制御部１１の外に設けられたプログラム又は回路等と協働して、判定部（又は、他の判定部）を実現してもよい。
【００５１】
本実施形態に係る真贋判定装置１０を用いて真贋判定される画像は、例えば印刷用シートのような媒体に形成される。印刷用シートとしては、例えば、普通紙、光沢紙、又はＯＨＰフィルムを好適に使用できる。ただし、画像が形成される媒体は任意であり、平面的な媒体ではなく、立体的な媒体であってもよい。
【００５２】
画像が形成された媒体の真贋を判定する場合には、画像を構成するトナーの少なくとも一部を媒体から採取する。例えば、分離部１４（例えば、前述の分離ヘッド）で画像（例えば、バーコード又はＭＩＣＲ文字）を擦ることで、画像を構成するトナーを容易に採取できる。また、図６又は図７に示すように、媒体２０に、主な画像（例えば、バーコード又はＭＩＣＲ文字）が形成される領域Ｒ１とは別に、真贋判定用の試料（トナー）を採取するための領域Ｒ２を設けてもよい。領域Ｒ２には、領域Ｒ１の画像を構成するトナーと同じトナーを用いて、任意の形状を有する画像が形成される。試料（トナー）を採取（分離）し易くするために、領域Ｒ１上のトナー層よりも領域Ｒ２上のトナー層を厚くしてもよい。
【００５３】
図６の例では、領域Ｒ１の近傍に、線状の領域Ｒ２を設けている。領域Ｒ２の線に沿って分離部１４（例えば、前述の分離ヘッド）で媒体２０を擦ることで、領域Ｒ２の画像を構成するトナーを容易に採取できる。
【００５４】
図７の例では、媒体２０の端部に、円形の領域Ｒ２を設けている。こうした媒体２０を用いることで、例えば、次のような方法でトナーを採取することが可能になる。まず、領域Ｒ２が設けられた媒体２０の端部を切り取って、紙片２０ａ（切り取られた端部）を得る。続けて、得られた紙片２０ａを真贋判定装置１０に入れる。続けて、真贋判定装置１０において、媒体２０を溶かさずトナーを溶かす溶剤（分離部１４）を用いて、領域Ｒ２の画像を構成するトナーを媒体２０から分離する。分離されたトナーがＡＭＳ測定器１６の分析部１６ｂに送られるように、真贋判定装置１０の構成を変更すれば、ＡＭＳ測定器１６の吸引部１６ａは不要になる。
【００５５】
以下、主に図１及び図８を参照して、本実施形態に係る真贋判定方法の一例について説明する。図８に示す例では、質量比で１：１の混合割合で通常トナーとバイオマストナーとを含む混合トナー（２種類のトナーからなる混合トナー）により形成された画像を真とする。また、真の画像を構成する通常トナーは、１００質量％の割合で石油由来成分を含有する結着樹脂を含むトナーである。また、真の画像を構成するバイオマストナーは、２５質量％の割合で植物由来成分を含有する結着樹脂を含むトナーである。図８の処理（ステップＳ１１〜Ｓ１６）は、例えばユーザーの指示に基づいて開始する。例えば、ＲＯＭ１１ｂ又は記憶部１３等に記憶されているプログラムをＣＰＵ１１ａが実行することで、図８の処理が実行される。トナーの混合割合を示す値としては、トナーに含まれる放射性炭素同位体14Ｃの量を採用している。
【００５６】
ステップＳ１１では、媒体に形成された画像から、画像を構成するトナーを採取する。詳しくは、例えばユーザーが分離部１４を用いて（例えば、分離ヘッドを媒体に押し当てて）、画像を構成するトナーの少なくとも一部（例えば、０．１ｍｇのトナー）を媒体から分離する。続けて、制御部１１がＡＭＳ測定器１６を制御して、分離部１４で分離したトナーを吸引部１６ａで吸引する。吸引部１６ａにより吸引されたトナーは、分析部１６ｂに送られる。
【００５７】
ステップＳ１２では、制御部１１がＡＭＳ測定器１６を制御して、吸引部１６ａで吸引されたトナーを分析部１６ｂにより加速器質量分析して、そのトナーに含まれる放射性炭素同位体14Ｃの量を求める。そして、求められた14Ｃの量を、制御部１１が例えば記憶部１３に格納する。
【００５８】
ステップＳ１３では、制御部１１が、ステップＳ１２で求められた14Ｃの量と所定の基準値との差（＝｜基準値−測定値｜）を算出する。そして、算出された差を、制御部１１が例えば記憶部１３に格納する。基準値としては、例えば１．４×１０-10質量％が設定される。基準値は、例えば記憶部１３に記憶されている。
【００５９】
ステップＳ１４では、制御部１１が、ステップＳ１３で算出された差を記憶部１３から読み出して、その差が所定の閾値以下である（差≦閾値）か否かを判断する。閾値としては、例えば０．１×１０-10質量％が設定される。閾値は、固定値であっても可変値であってもよい。閾値は、例えば記憶部１３に記憶されている。
【００６０】
ステップＳ１４において差が閾値以下であると判断された場合（ステップＳ１４：ＹＥＳ）には、制御部１１が、媒体に形成された画像が真であると判定する。そして、制御部１１は、例えば表示部１８に、媒体に形成された画像が真である旨（例えば、○）を表示させる。ユーザーは、その表示を見て、真贋判定の結果を知ることができる。その後、図８の一連の処理を終了する。
【００６１】
他方、ステップＳ１４において差が閾値以下ではないと判断された場合（ステップＳ１４：ＮＯ）には、制御部１１が、媒体に形成された画像が真でないと判定する。そして、制御部１１は、例えば表示部１８に、媒体に形成された画像が真でない旨（例えば、×）を表示させる。ユーザーは、その表示を見て、真贋判定の結果を知ることができる。その後、図８の一連の処理を終了する。
【００６２】
以上説明した本実施形態に係る真贋判定装置又は真贋判定方法によれば、以下のような優れた効果が奏される。
【００６３】
本実施形態の真贋判定装置１０では、所定の混合割合で複数種のトナーを含む混合トナーにより形成された画像を真とする。真贋判定装置１０は、分離部１４と、分析部１６ｂと、判定部（制御部１１等）とを備える。分離部１４は、トナーにより画像が形成された媒体（例えば、紙）から、画像を構成するトナーの少なくとも一部を分離する。分析部１６ｂは、分離部１４により分離したトナーを分析し、トナーにおける複数種のトナーの混合割合を示す値を求める。判定部は、分析部１６ｂにより求めた値と所定の基準値との相違の程度（例えば、差）に基づいて、画像が真であるか否かを判断する。
【００６４】
複数種のトナーを混合することで、唯一のトナー（オリジナルトナー）を作製することができる。真の画像におけるトナーの混合割合は、任意に設定できる。真の画像におけるトナーの混合割合は、真の画像を作成した者しか知り得ない情報となり得るため、画像の真贋判定に用いることができる。本実施形態の真贋判定装置１０では、画像の真贋を判定するための情報（詳しくは、トナーの混合割合）を、その画像から直接的に取得する。そして、画像に含まれる情報（トナーの混合割合）に基づいて、画像の真贋（ひいては、媒体の真贋）を判定する。
【００６５】
例えば、画像（例えば、バーコード又はＭＩＣＲ文字）のパターン（識別機能を有するパターン）に基づいて、その画像が形成されている媒体の真贋を判定し、媒体が真であると判定された場合に、さらに本実施形態の真贋判定装置１０により、その画像の真贋（ひいては、媒体の真贋）を判定する。トナーの混合割合に基づいて画像の真贋（ひいては、媒体の真贋）を判定することで、より高い精度で媒体の真贋を判定することが可能になる。また、画像に含まれる情報（トナーの混合割合）を真贋判定に用いることで、媒体にその画像以外の磁性体部等を設ける必要がなくなる。このため、真贋判定システムを簡素にすることが可能である。こうした真贋判定装置は、低コスト化し易い。ただし、より高い精度で媒体の真贋を判定するために、その媒体の情報を含む磁性体部等を媒体に設けてもよい。
【００６６】
なお、図８に示す例では、分析部１６ｂにより求めた値と所定の基準値との差を用いて、分析部１６ｂにより求めた値と所定の基準値との相違の程度が所定の閾値を超えるか否かを判断している。しかしこれに限られず、分析部１６ｂにより求めた値と所定の基準値との比率を用いて、分析部１６ｂにより求めた値と所定の基準値との相違の程度が所定の閾値を超えるか否かを判断してもよい。
【００６７】
画像の真贋（ひいては、媒体の真贋）を高い精度で判定するためには、真の画像を構成する混合トナーが、９０質量％超（より好ましくは、１００質量％）の割合で石油由来成分を含有する結着樹脂を含むトナー（第１トナー）と、１０質量％以上（より好ましくは、３０質量％以上６０質量％以下）の割合で植物由来成分を含有する結着樹脂を含むトナー（第２トナー）とを含むことが好ましい。本実施形態の真贋判定装置１０では、分析部１６ｂが、分離部１４により分離したトナーを加速器質量分析し、トナーの混合割合を示す値として、トナーに含まれる放射性炭素同位体14Ｃの量を求める。こうした構成を有する真贋判定装置１０では、採取された試料（第１トナーと第２トナーとを含む混合トナー）が少量であっても、その試料におけるトナーの混合割合を示す値（トナーに含まれる放射性炭素同位体14Ｃの量）を高い精度で早く求めることが可能になる。
【００６８】
本実施形態の真贋判定方法では、所定の混合割合で複数種のトナーを含む混合トナーにより形成された画像を真とする。本実施形態の真贋判定方法は、分離工程と、分析工程と、判定工程とを含む。分離工程では、例えばユーザーが分離部１４を用いて（例えば、分離ヘッドを媒体に押し当てて）、トナーにより画像が形成された媒体から、画像を構成するトナーの少なくとも一部を分離する。分析工程では、分析部１６ｂが、分離したトナーを分析し、トナーにおける複数種のトナーの混合割合を求める。判定工程では、判定部（制御部１１等）が、分析部１６ｂにより求めたトナーの混合割合と所定の基準値との相違の程度に基づいて、画像が真であるか否かを判断する。
【００６９】
例えば、画像（例えば、バーコード又はＭＩＣＲ文字）のパターン（識別機能を有するパターン）に基づいて、その画像が形成される媒体の真贋を判定し、媒体が真であると判定された場合に、さらに本実施形態の真贋判定方法により、その画像の真贋（ひいては、媒体の真贋）を判定する。トナーの混合割合に基づいて画像の真贋（ひいては、媒体の真贋）を判定することで、より高い精度で媒体の真贋を判定することが可能になる。また、画像に含まれる情報（トナーの混合割合）を真贋判定に用いることで、媒体にその画像以外の磁性体部等を設ける必要がなくなる。本実施形態の真贋判定方法によれば、文書（例えば、紙幣、有価証券、金券、又はチケット）の偽造防止を図ることが可能になる。
【００７０】
なお、制御部１１が分離部１４を制御できる場合には、例えばユーザーの指示に基づいて制御部１１が分離部１４を制御して、分離部１４が媒体からトナーを分離するように、上記分離工程を変更してもよい。
【００７１】
（実施形態２）
本発明の実施形態２について、実施形態１との相違点を中心に説明する。図１等に示した要素と同一の要素には各々同一の符号を付し、実施形態１と重複する説明については、その説明を省略又は簡略化する。
【００７２】
本実施形態に係る真贋判定装置及び画像形成方法はそれぞれ、画像が真であるか否かに代えて、画像が真である可能性を求める点で、実施形態１に係る真贋判定装置又は画像形成方法とは異なる。以下、主に図１及び図９を参照して、本実施形態に係る真贋判定装置及び画像形成方法の一例について説明する。図９に示す例では、質量比で１：１の混合割合で通常トナーとバイオマストナーとを含む混合トナー（２種類のトナーからなる混合トナー）により形成された画像を真とする。また、真の画像を構成する通常トナーは、１００質量％の割合で石油由来成分を含有する結着樹脂を含むトナーである。また、真の画像を構成するバイオマストナーは、２５質量％の割合で植物由来成分を含有する結着樹脂を含むトナーである。図９の処理（ステップＳ２１〜Ｓ２８）は、例えばユーザーの指示に基づいて開始する。例えば、ＲＯＭ１１ｂ又は記憶部１３等に記憶されているプログラムをＣＰＵ１１ａが実行することで、図９の処理が実行される。トナーの混合割合を示す値としては、トナーに含まれる放射性炭素同位体14Ｃの量を採用している。
【００７３】
図９の処理では、まず、図８のステップＳ１１〜Ｓ１３と同様のステップＳ２１〜Ｓ２３が実行される。続けて、ステップＳ２４で、制御部１１が、ステップＳ２３で算出された差を記憶部１３から読み出して、その差が所定の第１閾値以下である（差≦第１閾値）か否かを判断する。第１閾値としては、例えば０．５×１０-11質量％が設定される。第１閾値は、固定値であっても可変値であってもよい。ただし、第１閾値は、第２閾値よりも小さな値である。第１閾値は、例えば記憶部１３に記憶されている。
【００７４】
ステップＳ２４において差が第１閾値以下であると判断された場合（ステップＳ２４：ＹＥＳ）には、制御部１１が、媒体に形成された画像が真である可能性が大であると判定する。そして、制御部１１は、例えば表示部１８に、媒体に形成された画像が真である可能性が大である旨（例えば、○）を表示させる。ユーザーは、その表示を見て、真贋判定の結果を知ることができる。その後、図９の一連の処理を終了する。
【００７５】
他方、ステップＳ２４において差が第１閾値以下でないと判断された場合（ステップＳ２４：ＮＯ）には、ステップＳ２６に進む。ステップＳ２６では、制御部１１が、ステップＳ２３で算出された差を記憶部１３から読み出して、その差が所定の第２閾値以下である（差≦第２閾値）か否かを判断する。第２閾値としては、例えば１．５×１０-11質量％が設定される。第２閾値は、固定値であっても可変値であってもよい。第２閾値は、例えば記憶部１３に記憶されている。
【００７６】
ステップＳ２６において差が第２閾値以下であると判断された場合（ステップＳ２６：ＹＥＳ）には、制御部１１が、媒体に形成された画像が真である可能性が中であると判定する。そして、制御部１１は、例えば表示部１８に、媒体に形成された画像が真である可能性が中である旨（例えば、△）を表示させる。ユーザーは、その表示を見て、真贋判定の結果を知ることができる。その後、図９の一連の処理を終了する。
【００７７】
ステップＳ２６において差が第２閾値以下でないと判断された場合（ステップＳ２６：ＮＯ）には、制御部１１が、媒体に形成された画像が真である可能性が小であると判定する。そして、制御部１１は、例えば表示部１８に、媒体に形成された画像が真である可能性が小である旨（例えば、×）を表示させる。ユーザーは、その表示を見て、真贋判定の結果を知ることができる。その後、図９の一連の処理を終了する。
【００７８】
以上説明した本実施形態に係る真贋判定装置又は真贋判定方法によれば、以下のような優れた効果が奏される。
【００７９】
本実施形態の真贋判定装置及び真贋判定方法ではそれぞれ、判定部（制御部１１等）が、分析部１６ｂにより求めた値と所定の基準値との相違の程度（例えば、差）に基づいて、画像が真である可能性を求めている。本実施形態の真贋判定装置及び真贋判定方法ではそれぞれ、画像が真であるか否かよりも詳細な判定結果（画像が真である可能性）をユーザーに知らせることができる。本実施形態の真贋判定装置及び真贋判定方法ではそれぞれ、画像が真である可能性を３段階（大、中、小）で求めている。しかしこれに限られず、例えば４段階以上に分けて判定してもよい。また、画像が真である可能性を、確率を示す数値（例えば、０％〜１００％）で表示してもよい。
【００８０】
実施形態１と同様の構成及び処理については、本実施形態でも、前述した実施形態１の効果に準ずる効果が得られる。
【００８１】
（他の実施形態）
真贋判定装置１０の構成から、判定部（分析部１６ｂにより求めた値と所定の基準値との相違の程度に基づいて真贋判定を行う部分）を除外してもよい。判定部が除外された装置（以下、トナー情報取得装置と記載する）は、分離部１４と分析部１６ｂとを備える。トナー情報取得装置の外部に、判定部を有する装置（以下、判定装置と記載する）を用意することで、上記各実施形態に係る真贋判定方法と同様に、画像の真贋を判定することができる。詳しくは、トナー情報取得装置により、トナー情報（トナーの混合割合を示す値）を取得する。そして、取得したトナー情報を、例えば記憶部１３に格納する。続けて、記憶部１３に格納されたトナー情報を、判定装置に渡す。例えば、トナー情報を記憶する記憶部１３ごと判定装置に移すか、又は記憶部１３からトナー情報を読み出して判定装置に送信することで、トナー情報を判定装置に渡すことができる。判定装置は、受け取ったトナー情報（トナーの混合割合を示す値）と所定の基準値との相違の程度に基づいて、画像が真であるか否かを判断するか、又は、画像が真である可能性を求める。
【００８２】
トナー情報取得装置は、トナー情報（トナーの混合割合を示す値）を格納するための、持ち運び可能な小型メモリーを備えることが好ましい。持ち運び可能な小型メモリーとしては、例えば、ＵＳＢメモリー、ＳＤメモリーカード、フレキシブルディスク、ＣＤ−ＲＯＭ（Compact Disk Read-Only Memory）、ＤＶＤ（Digital Versatile Disk）、又はＭＯ（Magneto-Optical disk）を好適に使用できる。また、トナー情報取得装置は、無線通信又は有線通信を通じて判定装置にデータを送信するための通信装置（インターフェイス等）を備えることが好ましい。判定装置としては、汎用コンピューター（いわゆるパーソナルコンピューター）を好適に使用できる。
【００８３】
上記各実施形態に係る真贋判定装置、トナー情報取得装置、又は真贋判定方法において、使用される通常トナー及びバイオマストナーはそれぞれ、磁性トナーであってもよいし、非磁性トナーであってもよい。また、通常トナー及びバイオマストナーはそれぞれ、油に溶けるトナーであってもよいし、油に溶けないトナーであってもよい。また、通常トナーでもバイオマストナーでもないトナーを使用してもよい。
【００８４】
真の画像を構成する混合トナーは、磁性トナーと非磁性トナーとを含んでいてもよい。透磁率センサーを用いてトナーを分析することで、磁性トナーと非磁性トナーとの混合割合を示す値（透磁率）を高い精度で求めることができる。画像の真贋（ひいては、媒体の真贋）を高い精度で判定するためには、真の画像を構成する混合トナーが、７ｅｍｕ／ｇ以上２０ｅｍｕ／ｇ以下の残留磁化を有する磁性トナーを含むことが好ましい。
【００８５】
真の画像を構成する混合トナーは、油に溶けるトナーと、油に溶けないトナーとを含んでいてもよい。油に溶けないトナーは、例えばガソリンスタンドで使用される文書を作成するために好適に使用できる。
【００８６】
真の画像を構成する混合トナーは、３種類以上のトナーを含んでいてもよい。また、真の画像を構成する混合トナーに含まれる複数種のトナーのいずれかに、特別な性質を有する物質（以下、特定物質と記載する）を所定の割合で含ませてもよい。特定物質としては、例えば、磁性物質又は放射性物質を使用できる。特定物質は、トナー粒子の成分（例えば、内添剤）としてトナーに含ませてもよいし、トナー粒子とは別の粒子（例えば、結着樹脂も着色剤も含まない磁性粉）としてトナーに含ませてもよい。特別な性質は、高い精度で検出し易い。このため、トナーに含まれる特定物質の量も、高い精度で検出し易い。真の画像を構成する混合トナーに含まれる複数種のトナーのいずれかに特定物質を含ませることで、混合トナーにおける複数種のトナーの混合割合を示す値を高い精度で求め易くなる。
【００８７】
上記各実施形態において、真贋判定装置又はトナー情報取得装置の構成（構成要素、寸法、材質、形状、又は位置等）は、本発明の趣旨を逸脱しない範囲において任意に変更又は割愛することができる。
【００８８】
上記各実施形態に係る真贋判定装置又はトナー情報取得装置の制御に係る機能は、ハードウェア（電子回路等）によっても、ソフトウェア（プログラム）によっても実現することができる。上記実施形態において制御部１１が実行するプログラムは、例えばＣＤ−ＲＯＭのようなコンピューターに読み取り可能な記録媒体に格納して配布可能にしてもよい。また、プログラムを通信ネットワーク上の所定のサーバーに保持させ、クライアントが実行又はダウンロードできるようにしてもよい。また、ＯＳ（Operating System）とアプリケーションとの協働により所定の機能を実現する場合には、ＯＳ以外の部分のみについて配布等を可能にしてもよい。
【００８９】
真贋判定装置及びトナー情報取得装置はそれぞれ、持ち運び可能なハンディタイプの装置であってもよいし、持ち運び困難な据え置き型の装置であってもよい。また、真贋判定装置及びトナー情報取得装置はそれぞれ、例えば携帯電話、ＰＨＳ（Personal Handyphone System）、ＰＤＡ（Personal Digital Assistants）、又は小型コンピューターのような移動体通信端末に組み込まれてもよい。
【００９０】
上記実施形態及び変形例は、任意に組み合わせることができる。例えば、実施形態１の真贋判定方法（画像が真であるか否かを判断する方法）と、実施形態２の真贋判定方法（画像が真である可能性を求める方法）とを、状況に応じて選択できるようにしてもよい。
【産業上の利用可能性】
【００９１】
本発明に係る真贋判定装置、トナー情報取得装置、プログラム、及び真贋判定方法は、例えば、紙幣、有価証券、金券、又はチケットの真贋判定に好適に用いることができる。
【符号の説明】
【００９２】
１０  真贋判定装置
１１  制御部
１１ａ  ＣＰＵ
１１ｂ  ＲＯＭ
１１ｃ  ＲＡＭ
１２  インターフェイス
１３  記憶部
１４  分離部
１４ａ  凸部
１４ｂ  ローラー
１５  読取部
１６  ＡＭＳ測定器
１６ａ  吸引部
１６ｂ  分析部
１７  入力部
１８  表示部
２０  媒体
２０ａ  紙片
３１ａ  イオン源
３１ｂ  イオン源
３２  静電型球面分析器
３３  入射電磁石
３４  ファラデーカップ
３５  アインツェルレンズ
３６  タンデム加速器
３６ａ  ターミナル部
３６ｂ  静電Ｑレンズ
３７  Ｘ−Ｙステアラー
３８  分析電磁石
３９  ファラデーカップ
４０  四重極電磁石
４１  振り分け電磁石
４２  静電分析器
４３  四重極電磁石
４４  半導体検出器
Ｒ１  領域
Ｒ２  領域
【図１】
2016099646.tif 000004
【図２】
2016099646.tif 000005
【図３】
2016099646.tif 000006
【図４】
2016099646.tif 000007
【図５】
2016099646.tif 000008
【図６】
2016099646.tif 000009
【図７】
2016099646.tif 000010
【図８】
2016099646.tif 000011
【図９】
2016099646.tif 000012